(57)【要約】【課題】本発明の目的は、互いに異なる複数の液を混合しないと液が流出しない構造を有する輸液パックを提供することにある。【解決手段】本発明に係る複数液混合型の輸液パックは、互いに異なる複数の液を分離して封入し、使用時に該複数液を混合して導入口から混合液を導入する輸液パックであって、前記複数の液は互いに独立した封入室に縦型封止部を介してそれぞれ封入され、該縦型封止部は所定の押圧力により開通可能に設け、かつ前記複数の混合液を通過させる混合液導入室を、混合液封止部を介して設けたことを特徴とする。【選択図面】  図１
2005318997.tif 000002
【特許請求の範囲】
【請求項１】
互いに異なる複数の液を分離して封入し、使用時に該複数液を混合して導入口から混合液を導入する輸液パックであって、前記複数の液は互いに独立した封入室に縦型封止部を介してそれぞれ封入され、該縦型封止部は所定の押圧力により開通可能に設け、かつ前記複数の混合液を通過させる混合液導入室を、混合液封止部を介して設けたことを特徴とする輸液パック。
【請求項２】
上記縦型封止部は比較的弱い押圧力で、上記混合液封止部は前記縦型封止部より強い押圧力で開通可能に設けたことを特徴とする請求項１記載の輸液パック。
【請求項３】
上記縦型封止部及び上記混合液封止部は同一押圧力においても、連鎖的に開通可能に設けたことを特徴とする請求項１記載の輸液パック。
【発明の詳細な説明】
【技術分野】
【０００１】
本発明は輸液パック、特に複数の互いに異なる溶液を混合するタイプの輸液パックであり押圧で開放される封入部を設けた輸液パックに係る。
【背景技術】
【０００２】
従来から医療現場の点滴において、還元糖とアミノ酸を含有する輸液で糖がアミノ酸に結合するメイラード反応等、複数の物質を混合している場合、輸液の製造時（高圧蒸気滅菌などの熱滅菌時）、また保存時に分解・着色等、化学反応による不都合を生ずることがあった。
【０００３】
上記問題を解消するため、熱可塑性樹脂製フィルムからなる袋体に連通可能な隔離手段により液密に区切られた複数の分室と、前記複数の分室の一つに排出部位、他の分室の一つに注入部位を形成した輸液容器で、排出部位を有する分室には薬液又は固形剤を収容し、注入部位を有する分室は空室である輸液容器が発明されている（特許文献１）。
【０００４】
【特許文献１】特開平１１−３１３８７１（詳細な説明、図面）
【発明の開示】
【発明が解決しようとする課題】
【０００５】
しかし、上記従来技術の輸液パックでは、排出部位を有する分室に液が入っていれば互いに異なる複数の液を混合しなくても、分室点滴ルート（点滴管）を接続すれば輸液が流れる構造であるため、開通可能な封止部を開通させないでそのまま点滴を開始してしまうという医療ミスが発生し、本来の輸液の効果を得られないばかりか、逆に混合前の濃縮液の投与で人体に害を及ぼす可能性があった。
【０００６】
上記問題点を解決するため、互いに異なる複数の液を混合しないと液が流出しない構造を有する輸液パックが求められていた。
【課題を解決するための手段】
【０００７】
上記問題点を解決するため、本発明では互いに異なる複数の液を分離して封入し、使用時に該複数液を混合して導入口から混合液を導入する輸液パックであって、前記複数の液は互いに独立した封入室に縦型封止部を介してそれぞれ封入され、該縦型封止部は所定の押圧力により開通可能に設け、かつ前記複数の混合液を通過させる混合液導入室を、混合液封止部を介して設けたことを特徴とする輸液パックを提供する。
【０００８】
また、本発明では上記縦型封止部は比較的弱い押圧力で、上記混合液封止部は前記縦型封止部より強い押圧力で開通可能に設けたことを特徴とする請求項１記載の輸液パックを提供する。
【０００９】
また、本発明では同一押圧力下で封止部の一部が開通すれば、連鎖的に残りの封止部も開通可能に設けたことを特徴とする請求項１記載の輸液パックを提供する。
【発明の効果】
【００１０】
縦型封止部と混合液封止部を設けたことで、縦型封止部を開封しないと混合液封止部が開封されない構造をとっており、互いに異なる複数の液を混合しないと液が流出しないため、誤って溶液を混合し忘れた時に輸液のルート（点滴管）を接続しても薬液の流出は起きない。よって従来の構造で、溶液を混合せずに患者に投与してしまったときに起きていた片側の溶液のみの点滴を防止できる。
【００１１】
上記縦型封止部は比較的弱い押圧力で、上記混合液封止部は前記縦型封入部より強い押圧力で開通可能に設けたことにより、互いに異なる複数の液を混合してから液が流出するため、溶液を混合せずに患者に投与してしまったときに起きていた片側の溶液のみの点滴をより確実に防止できる。
【００１２】
縦型封止部及び上記混合液封止部は同一押圧力においても、連鎖的に開通可能に設けたことにより、一度に薬液混合の開通と点滴管への開通をさせ、一回の隔離開通操作で混合液が得られるため、特別な注意を喚起せずとも簡便かつ確実に輸液の準備ができる。これにより医療従事者の負担を軽減し、従来生じる可能性のある溶液を混合せずに患者に投与するというミスを防ぐことが可能である。
【発明を実施するための最良の形態】
【００１３】
以下、本発明の一実施例として、互いに異なる複数の液が２種類の場合について図に基づいて説明する。図１は本発明に係る輸液パックの一例の斜視図である。図２は本発明に係る輸液パックのＡ−Ａ線断面図である。図３は本発明に係る輸液パックの縦型封止部を剥がし開通させた状態のＡ−Ａ線断面図である。図４は従来技術における二液混合型の輸液パックである。図５、図６及び図７はそれぞれ本発明に係る輸液パックの一例の平面図である。
【００１４】
図１において、１、２は薬液を入れる分室、３は開通可能な縦型封止部、５は混合液導入室、４は開通可能な混合液封止部、６は混合液導入部である。縦型封止部３および混合液封止部４のそれぞれを封止する手段としては、開通可能なヒートシールや人体に影響のない粘着剤、接着剤にて開通可能にシールするか、その他の手段によるシールであっても良い。シールのシール力は輸液パックを押したときに縦型封止部３が開通してから混合液封止部４が開通するようにシール力に差を持たしてシールするか、あるいは一箇所が開通したら、連鎖的に残りの封止部も開通可能に設けるかのいずれであっても良い。要は、混合液が必ず患者に点滴されることが肝要であり、単独の液が点滴されないようにすることが重要である。
【００１５】
使用法は、まず薬液を封入する分室１、もしくは薬液を封入する分室２の中の薬液を押し、押圧で開通可能な縦型封止部３を開封する。すると図１、図３の矢印ａが示す方向に薬液が流れ、互いに異なる２液が混合される。この段階では、混合液導入室５にはまだ液が流れず、無液状態となっていて点滴は開始されない。続いて更に押圧をかけ、開通可能な混合液封止部４を開封し、薬液は混合された状態で矢印ｂに示す方向に流れ、混合液導入室５、混合液導入部６の順に流入し、点滴を開始する。
【００１６】
図４に示すように、従来技術では点滴前に薬液を封入する分室１を圧迫すると薬液を封入する分室１、薬液を封入する分室２の間にある開通可能な封止部７が開封され、矢印ａ’で示す流れが生じ、薬液を封入する分室１と薬液を封入する分室２の薬液が混合され、続いて矢印ｂ’に示すように混合液導入部６に混合した薬液が流入され、点滴が開始される。しかし、開通可能な封止部７が開封されていない状態で、矢印ａ’が示す流れが生じなくても点滴管を接続すれば矢印ｂ’に示す流れが起こり、薬液が混合されない状態で点滴が開始され、医療ミスの原因となる。
【００１７】
図５、図６及び図７は本発明の輸液パックの一例を示す平面図である。何れの図においても、薬液を封入する薬液を封入する分室１、もしくは薬液を封入する分室２の中の薬液を押すことで、押圧で開通可能な縦型封止部３を開封し、矢印ａが示す方向に薬液が流れ、互いに異なる２液が混合される。この段階では、混合液導入室５にはまだ液が流れず、無液状態となっていて点滴は開始されない。続いて更に押圧をかけ、開通可能な混合液封止部４を開封し、薬液は混合された状態で矢印ｂに示す方向に流れ、混合液導入室、混合液導入部６の順に流入し、点滴を開始する。もしくは、薬液を封入する分室１、薬液を封入する分室２のいずれかに押圧をかける事により、どこか一箇所でも隔離開通すればその後は弱い押圧力においても連鎖的に残りの封止部も開通可能である。
上記輸液パックの構造は、薬液を入れる分室１及び薬液を入れる分室２、開通可能な縦型封止部３、混合液導入室５、開通可能な混合液封止部４を有している構造であればなんでも良い。
【図面の簡単な説明】
【００１８】
【図１】本発明の輸液パックの一例を示す斜視図である。
【図２】本発明の輸液パックの一例を示すＡ−Ａ線断面図である。
【図３】本発明の輸液パックの一例を示す縦型封止部を剥がし開通させた状態のＡ−Ａ線断面図である。
【図４】従来技術における２液混合型の輸液パックである。
【図５】本発明の輸液パックの一例を示す平面図である。
【図６】本発明の輸液パックの一例を示す平面図である。
【図７】本発明の輸液パックの一例を示す平面図である。
【００１９】
１  薬液を封入する分室
２  薬液を封入する分室
３  開通可能な縦型封止部
４  開通可能な混合液封止部
５  混合液導入室
６  混合液導入部
７  開通可能な封止部
【図１】
2005318997.tif 000003
【図２】
2005318997.tif 000004
【図３】
2005318997.tif 000005
【図４】
2005318997.tif 000006
【図５】
2005318997.tif 000007
【図６】
2005318997.tif 000008
【図７】
2005318997.tif 000009
【手続補正書】
【提出日】平成16年9月27日(2004.9.27)
【手続補正１】
【補正対象書類名】特許請求の範囲
【補正対象項目名】全文
【補正方法】変更
【補正の内容】
【特許請求の範囲】
【請求項１】
輸液パック本体の左右に薬液を封入する分室を設けるために該輸液パック本体の中央部に同じ太さの開通可能な縦型封止部を設け、該縦型封止部はその一方が輸液パック本体を吊り下げたときにおける該輸液パック本体の上端に達し、他方が輸液パック本体を吊り下げたときにおける該輸液パック本体の下端中央部から突出させて設けた混合液導入室に達するとともに、該混合液導入室に達した縦型封止部の先端に、左右に同じ太さで分岐した略Ｖ字形状に形成した開通可能な混合液封止部を設け、上記輸液パック本体を手で押した時に、該混合液封止部と上記縦型封止部との間の鋭角部分から開通し、残りの縦型封止部及び混合液封止部が連鎖的に開通可能に設けることを特徴とする輸液パック。
【手続補正２】
【補正対象書類名】明細書
【補正対象項目名】全文
【補正方法】変更
【補正の内容】
【発明の詳細な説明】
【技術分野】
【０００１】
本発明は輸液パック、特に複数の互いに異なる溶液を混合するタイプの輸液パックであり押圧で開放される封入部を設けた輸液パックに係る。
【背景技術】
【０００２】
従来から医療現場の点滴において、還元糖とアミノ酸を含有する輸液で糖がアミノ酸に結合するメイラード反応等、複数の物質を混合している場合、輸液の製造時（高圧蒸気滅菌などの熱滅菌時）、また保存時に分解・着色等、化学反応による不都合を生ずることがあった。
【０００３】
上記問題を解消するため、熱可塑性樹脂製フィルムからなる袋体に連通可能な隔離手段により液密に区切られた複数の分室と、前記複数の分室の一つに排出部位、他の分室の一つに注入部位を形成した輸液容器で、排出部位を有する分室には薬液又は固形剤を収容し、注入部位を有する分室は空室である輸液容器が発明されている（特許文献１）。
【０００４】
【特許文献１】特開平１１−３１３８７１（詳細な説明、図面）
【発明の開示】
【発明が解決しようとする課題】
【０００５】
しかし、上記従来技術の輸液パックでは、排出部位を有する分室に液が入っていれば互いに異なる複数の液を混合しなくても、分室点滴ルート（点滴管）を接続すれば輸液が流れる構造であるため、開通可能な封止部を開通させないでそのまま点滴を開始してしまうという医療ミスが発生し、本来の輸液の効果を得られないばかりか、逆に混合前の濃縮液の投与で人体に害を及ぼす可能性があった。
【０００６】
上記問題点を解決するため、互いに異なる複数の液を混合しないと液が流出しない構造を有する輸液パックが求められていた。
【課題を解決するための手段】
【０００７】
上記問題点を解決するため、本発明では輸液パック本体の左右に薬液を封入する分室を設けるために該輸液パック本体の中央部に同じ太さの開通可能な縦型封止部を設け、該縦型封止部はその一方が輸液パック本体を吊り下げたときにおける該輸液パック本体の上端に達し、他方が輸液パック本体を吊り下げたときにおける該輸液パック本体の下端中央部から突出させて設けた混合液導入室に達するとともに、該混合液導入室に達した縦型封止部の先端に、左右に同じ太さで分岐した略Ｖ字形状に形成した開通可能な混合液封止部を設け、上記輸液パック本体を手で押した時に、該混合液封止部と上記縦型封止部との間の鋭角部分から開通し、残りの縦型封止部及び混合液封止部が連鎖的に開通可能に設けることを特徴とする輸液パックを提供する。
【０００８】
削除
【０００９】
削除
【発明の効果】
【００１０】
削除
【００１１】
削除
【００１２】
上記輸液パック本体を押圧すると上記混合液封止部と上記縦型封止部との間の鋭角部分に圧力が集中するため、該鋭角部分から開通し、該縦型封止部及び該混合液封止部は連鎖的に開通可能に設けたことにより、一度に薬液混合の開通と点滴管への開通をさせ、一回の隔離開通操作で混合液が得られるため、特別な注意を喚起せずとも簡便かつ確実に輸液の準備ができる。これにより医療従事者の負担を軽減し、従来生じる可能性のある溶液を混合せずに患者に投与するというミスを防ぐことが可能である。また、上記混合液導入室を輸液パック本体の吊り下げたときにおける前記輸液パック本体の下端中央部から突出させて設けているため、上記薬液を封入する分室を広く取ることができる。このため、従来技術と同程度の大きさの輸液パックで同量の薬液を確保できる。
【発明を実施するための最良の形態】
【００１３】
以下、本発明の一実施例として、互いに異なる複数の液が２種類の場合について図に基づいて説明する。図１は比較例１に係る輸液パックの一例の斜視図である。図２は本発明に係る輸液パックの横断面図である。図３は本発明に係る輸液パックの縦型封止部を剥がし開通させた状態の横断面図である。図４は従来技術における二液混合型の輸液パックである。図５及び図７はそれぞれ比較例２及び３に係る輸液パックの一例の平面図である。図６は本発明に係る輸液パックの一例の平面図である。
【００１４】
図６において、１、２は薬液を入れる分室、３は開通可能な縦型封止部、５は混合液導入室、４は開通可能な混合液封止部、６は混合液導入部(図示せず)である。縦型封止部３は輸液パック本体の左右に薬液を封入する分室１及び２を設けるために該輸液パック本体の中央部に同じ太さで開通可能に設ける。そして、該縦型封止部３はその一方が輸液パック本体を吊り下げたときにおける該輸液パック本体の上端に達し、他方が輸液パック本体を吊り下げたときにおける該輸液パック本体の下端中央部から突出させて設けた混合液導入室５に達している。さらに、該混合液導入室５に達した縦型封止部３の先端に、左右に同じ太さで分岐した略Ｖ字形状に形成した開通可能な混合液封止部４を設ける。そして、該縦型封止部３および該混合液封止部４のそれぞれを封止する手段としては、開通可能なヒートシールや人体に影響のない粘着剤、接着剤にて開通可能にシールするか、その他の手段によるシールであっても良い。該シールのシール力は、上記輸液パックを押したときに圧力が集中する縦型封止部３と混合液封止部４との間の鋭角部分が開通したら、連鎖的に残りの縦型封止部３及び混合液封止部４も開通可能となるように設ける。要は、混合液が必ず患者に点滴されることが肝要であり、単独の液が点滴されないようにすることが重要である。
【００１５】
削除
【００１６】
図４に示すように、従来技術では点滴前に薬液を封入する分室１を圧迫すると薬液を封入する分室１、薬液を封入する分室２の間にある開通可能な封止部７が開封され、矢印ａ’で示す流れが生じ、薬液を封入する分室１と薬液を封入する分室２の薬液が混合され、続いて矢印ｂ’に示すように混合液導入部６に混合した薬液が流入され、点滴が開始される。しかし、開通可能な封止部７が開封されていない状態で、矢印ａ’が示す流れが生じなくても点滴管を接続すれば矢印ｂ’に示す流れが起こり、薬液が混合されない状態で点滴が開始され、医療ミスの原因となる。
【００１７】
図５及び図７はそれぞれ比較例２及び３に係る輸液パックの一例の平面図である。図６は本発明に係る輸液パックの一例の平面図である。図５及び図７の図では、薬液を封入する薬液を封入する分室１、もしくは薬液を封入する分室２の中の薬液を押すことで、押圧で開通可能な縦型封止部３を開封し、矢印ａが示す方向に薬液が流れ、互いに異なる２液が混合される。この段階では、混合液導入室５にはまだ液が流れず、無液状態となっていて点滴は開始されない。続いて更に押圧をかけ、開通可能な混合液封止部４を開封し、薬液は混合された状態で矢印ｂに示す方向に流れ、混合液導入室、混合液導入部６の順に流入し、点滴を開始する。図６においては、薬液を封入する分室１、薬液を封入する分室２のいずれかに押圧をかける事により、前記縦型封止部３と、前記混合液封止部４との間の鋭角部分から隔離開通することにより、連鎖的に残りの該縦型封止部３及び該混合液封止部４も開通可能である。
上記輸液パックの構造は、薬液を入れる分室１及び薬液を入れる分室２、開通可能な縦型封止部３、混合液導入室５、開通可能な混合液封止部４を有している構造であればなんでも良い。
【図面の簡単な説明】
【００１８】
【図１】比較例１の輸液パックの一例を示す斜視図である。
【図２】本発明の輸液パックの一例を示す横断面図である。
【図３】本発明の輸液パックの一例を示す縦型封止部を剥がし開通させた状態の横断面図である。
【図４】従来技術における２液混合型の輸液パックである。
【図５】比較例２の輸液パックの一例を示す平面図である。
【図６】本発明の輸液パックの一例を示す平面図である。
【図７】比較例３の輸液パックの一例を示す平面図である。
【００１９】
１  薬液を封入する分室
２  薬液を封入する分室
３  開通可能な縦型封止部
４  開通可能な混合液封止部
５  混合液導入室
６  混合液導入部
７  開通可能な封止部